(57)【特許請求の範囲】
【請求項１】
複数の板材の連通孔内に挿通され、その一端部の外周に薄肉のかしめ部を有すると共にこのかしめ部から他端部へ向けてねじ孔を形成したかしめ部材と、このかしめ部材と連結され前記複数の板材を結合するものであり、その一端部に前記ねじ孔に螺合されるねじ軸を有すると共にその他端部にリベット頭部を形成したねじ頭部材とから構成され、
前記かしめ部材を連通孔内に挿通した後に、前記かしめ部材のかしめ部をかしめることにより前記板材を結合することを特徴とする離脱可能なねじ付リベット。
【請求項２】
前記ねじ頭部材のリベット頭部に、ドライバ先端が係合する溝部を形成したことを特徴とする請求項１記載の離脱可能なねじ付リベット。
【発明の詳細な説明】
【０００１】
【発明の属する技術分野】
本発明は、複数の板材を結合するリベットに関し、特に、リベットにねじ機構を介装することにより結合を比較的容易に解放できるように構成した離脱可能なねじ付リベットに関する。
【０００２】
【従来の技術】
従来、複数の板材を結合する場合、例えば図６に示すように、ファイル用具のファイル表紙１０と綴具基板１２との２枚の板材を結合する場合、リベット１４が使用されている。そしてこの種のリベットによれば、簡単な構成で取付けが容易であり、強固な結合を得ることができる。
【０００３】
【発明が解決しようとする課題】
しかしながら、この種のリベットには、以下のような問題点が指摘されていた。
【０００４】
すなわち、例えばファイル用具の廃棄に際しては、近来、資源のリサイクルの面から、紙製のファイル表紙と金属製の綴具とに分離して回収する分別回収が提唱されている。しかし、従来のリベットにおいては、ファイル用具の使用者が、リベットの結合を容易に解放する、すなわち、取付けたリベットを容易に取外すことは、一般的には不可能であった。このため、分別回収に困難を伴いその改善が要望されていた。
【０００５】
そこで、本発明の目的は、比較的容易に取外すことができる構造の離脱可能なリベットを提供することにある。
【０００６】
【課題を解決するための手段】
先の目的を達成するために、本発明に係る離脱可能なねじ付リベットは、複数の板材の連通孔内に挿通され、その一端部の外周に薄肉のかしめ部を有すると共にこのかしめ部から他端部へ向けてねじ孔を形成したかしめ部品と、このかしめ部材と連結され前記複数の板材を結合するものであり、その一端部に前記ねじ孔に螺合されるねじ軸を有すると共にその他端部にリベット頭部を形成したねじ頭部材とからなることを特徴とする。
【０００７】
そして、このねじ頭部材のリベット頭部にドライバ先端が係合する溝部を形成してある。
【０００８】
このように、本発明のねじ付リベットによれば、リベットを構成するかしめ部材とねじ頭部材とが容易に離脱できるので、リベットの結合を容易に解放することができる。
【０００９】
【発明の実施の形態】
次に、本発明に係る離脱可能なねじ付リベットの一実施の形態を添付図面を参照しながら以下詳細に説明する。なお、説明の便宜上、図６に示す従来の構造と実質的に同一な構成部分には同一参照符号を付し、詳細な説明は省略する。
【００１０】
図１乃至図５は、本発明のねじ付リベット１６をファイル用具のファイル表紙１０と綴具基板１２の結合に使用する例を示しており、ねじ付リベット１６は、２枚の板材であるファイル表紙１０と綴具基板１２の連通孔１８内に挿通されるかしめ部品２０と、このかしめ部品２０に離脱可能に連結されるねじ頭部材２２とから構成されている。かしめ部材２０はその一端部の外周に薄肉のかしめ部２４を有すると共にこのかしめ部２４から他端部へ向けてねじ孔２６を形成してある。そして、ねじ頭部材２２は、その一端部に前記ねじ孔２６に螺合されるねじ軸２８を有すると共にその他端部にリベット頭部３０を形成してある。リベット頭部３０にはドライバ（図示せず）の先端が係合する係合溝３２が形成してある。
【００１１】
従って、このような構成よりなるねじ付リベット１６によれば、ねじ孔２６にねじ軸２８をねじ込んでねじ頭部材２２を連結した状態のかしめ部品２０を連通孔１８内に挿通した後（図２）に、このかしめ部品２０のかしめ部２４をかしめる（図３）ことにより、ファイル表紙１０，綴具基板１２を容易に結合できる。
【００１２】
また、この取付けられた本発明のねじ付リベット１６は、図４、図５に示すように、ねじ軸２８をねじ孔２６からねじ戻すことによりねじ頭部材２２を矢印ａのように取除き（図４）、その後、かしめ部品２０を矢印ｂのように連通孔１８から押出す（図５）ことにより、容易に取外され、ファイル表紙１０，綴具基板１２の結合が容易に解放される。
【００１３】
このように、本発明のねじ付リベットによれば、これを構成するかしめ部材とねじ頭部材とを相互に離脱することにより、リベットを容易に取外すことができ、複数の板材を容易に解放することができる。すなわち、分別回収による資源のリサイクルの要望にも容易に対応することが可能となる。また、本発明のねじ付リベットは、比較的簡単に構成される利点をも有する。
【００１４】
以上、本発明に係るねじ付リベットをその好適な実施例である２枚の板材からなるファイル用具について説明したが、本発明はこれに限定されるものではなく、３枚またはそれ以上の板材に対しても同様に適用され得ることは勿論である。
【００１５】
【発明の効果】
以上説明したように、本発明に係る離脱可能なねじ付リベットは、複数の板材の連通孔内に挿通され、その一端部の外周に薄肉のかしめ部を有すると共にこのかしめ部から他端部へ向けてねじ孔を形成したかしめ部材と、このかしめ部材に連結され前記複数の板材を連結するものであり、その一端部に前記ねじ孔に螺合されるねじ軸を有すると共にその他端部にリベット頭部を形成したねじ頭部材とから形成するように構成したので、本発明においては、ねじ付リベットを構成する前記かしめ部品とねじ軸頭部部品とを容易に離脱することにより、リベットを容易に取外すことができ、板材を容易に解放することができる。
【００１６】
すなわち、本発明によれば、分別回収による資源のリサイクルに対処すると共に、しかも、従来のかしめ加工設備を変更することなく、比較的簡単に構成することができる、離脱可能なねじ付リベットを容易に提供することができる。
【図面の簡単な説明】
【図１】本発明に係る離脱可能なねじ付リベットを示し、（ａ）はかしめ部材の断面図であり、（ｂ）はねじ頭部材の正面図である。
【図２】本発明のねじ付リベットの図１に係る（ａ）、（ｂ）両部材の結合と挿通状態を示す断面図である。
【図３】本発明のねじ付リベットの使用状態を示す断面図である。
【図４】本発明のねじ付リベットのねじ頭部材の離脱を示す断面図である。
【図５】本発明のねじ付リベットのかしめ部材の離脱を示す断面図である。
【図６】一般的なファイル用具の要部斜視図である。
【符号の説明】
１０  ファイル表紙
１２  綴具基板
１６  ねじ付リベット
１８  連通孔
２０  かしめ部材
２２  ねじ頭部材
２４  かしめ部
２６  ねじ孔
２８  ねじ軸
３０  リベット頭部
３２  溝部
【図１】
0004017709.tif 000002
【図２】
0004017709.tif 000003
【図３】
0004017709.tif 000004
【図４】
0004017709.tif 000005
【図５】
0004017709.tif 000006
【図６】
0004017709.tif 000007